【手続補正書】
【提出日】平成19年9月28日(2007.9.28)
【手続補正１】
【補正対象書類名】明細書
【補正対象項目名】発明の名称
【補正方法】変更
【補正の内容】
【発明の名称】画像処理装置及びその制御方法、画像入力システム及びその制御方法、並びに記憶媒体
【手続補正２】
【補正対象書類名】明細書
【補正対象項目名】特許請求の範囲
【補正方法】変更
【補正の内容】
【特許請求の範囲】  
【請求項１】  入力された画像データに対して所定の処理を施す画像処理手段と、
前記所定の処理の設定を行うための設定情報を入力する設定入力手段と、
前記画像処理手段による前記所定の処理後の画像データを表示する表示手段と、
前記画像処理手段による処理の際の、前記設定入力手段から入力された設定情報を記憶する設定情報記憶手段とを有し、
画像データのN（２以上の整数）ページ以降のデータに対しては、前記設定情報記憶手段中の設定情報に基づいて前記画像処理手段による前記所定の処理を行うことを特徴とする画像処理装置。
【請求項２】  画像データの入力を行う画像入力装置と、前記画像入力装置によって入力された画像データを処理する画像処理装置とを備えた画像入力システムであって、
前記画像処理装置が、
入力された画像データに対して所定の処理を施す第１の画像処理手段と、
前記所定の処理の設定を行うための設定情報を入力する設定入力手段と、
前記第１の画像処理手段による前記所定の処理後の画像データを表示する表示手段を有し、
前記画像入力装置が、
入力された画像データに対して前記所定の処理を施す第２の画像処理手段を有し、
前記第１の画像処理手段、前記第２の画像処理手段の少なくとも一方を選択して前記所定の画像処理を行うことを特徴とする画像入力システム。
【請求項３】  画像データの入力を行う画像入力装置によって入力された画像データを処理する画像処理装置の制御方法であって、
前記入力された画像データに対して所定の処理を施す画像処理工程と、
前記所定の処理の設定を行うための設定情報を入力する設定入力工程と、
前記画像処理工程による前記所定の処理後の画像データを表示する表示工程と、
前記画像処理工程による処理の際の、前記設定入力工程において入力された設定情報を記憶する設定情報記憶工程と、
画像データのN（２以上の整数）ページ以降のデータに対しては、前記設定情報記憶工程で記憶した設定情報に基づいて前記画像処理工程による前記所定の処理を施す工程とを有することを特徴とする画像処理装置の制御方法。
【請求項４】  画像データの入力を行う画像入力装置と、前記画像入力装置によって入力された画像データを処理する画像処理装置とを備えた画像入力システムの制御方法であって、
前記画像処理装置において、
前記入力された画像データに対して所定の処理を施す第１の画像処理工程と、
前記所定の処理の設定を行うための設定情報を入力する設定入力工程と、
前記画像処理工程による前記所定の処理後の画像データを表示する表示工程とを実行し、
前記画像入力装置において、
前記入力された画像データに対して前記所定の処理を施す第２の画像処理工程を実行し、
前記入力された画像データに対して、前記第１の画像処理工程と前記第２の画像処理工程の少なくとも一方を選択して、前記所定の画像処理を施すことを特徴とする画像入力システムの制御方法。
【請求項５】  画像データの入力を行う画像入力装置によって入力された画像データを処理する画像処理装置の制御方法を実行するための制御プログラムを格納したコンピュータ可読な記憶媒体であって、
前記プログラムが、
前記入力された画像データに対して所定の処理を施す画像処理工程と、
前記所定の処理の設定を行うための設定情報を入力する設定入力工程と、
前記画像処理工程による前記所定の処理後の画像データを表示する表示工程と、
前記画像処理工程による処理の際の、前記設定入力工程において入力された設定情報を記憶する設定情報記憶工程と、
画像データのN（２以上の整数）ページ以降のデータに対しては、前記設定情報記憶工程で記憶した設定情報に基づいて前記画像処理工程による前記所定の処理を施す工程とを有することを特徴とする記憶媒体。
【手続補正３】
【補正対象書類名】明細書
【補正対象項目名】０００１
【補正方法】変更
【補正の内容】
【０００１】
【発明の属する技術分野】
本発明は、パーソナルコンピュータなどの画像処理装置及びその制御方法、スキャナなどの画像入力装置と前記画像処理装置を含む画像入力システム及びその制御方法、並びに前記画像処理装置の制御方法を実行するための制御プログラムを格納した記憶媒体に関する。
【手続補正４】
【補正対象書類名】明細書
【補正対象項目名】０００７
【補正方法】変更
【補正の内容】
【０００７】
本発明は上記従来の問題点に鑑み、画像データの最適な明るさやコントラストを見つけ出すまで何度も画像入力しなければならないことによる作業効率の低下を解消することができる画像処理装置及びその制御方法、画像入力システム及びその制御方法、並びに記憶媒体を提供することを目的とする。
【手続補正５】
【補正対象書類名】明細書
【補正対象項目名】０００８
【補正方法】変更
【補正の内容】
【０００８】
【課題を解決するための手段】
上記目的を達成するために、本発明の画像処理装置は、入力された画像データに対して所定の処理を施す画像処理手段と、前記所定の処理の設定を行うための設定情報を入力する設定入力手段と、前記画像処理手段による前記所定の処理後の画像データを表示する表示手段と、前記画像処理手段による処理の際の、前記設定入力手段から入力された設定情報を記憶する設定情報記憶手段とを有し、画像データのN（２以上の整数）ページ以降のデータに対しては、前記設定情報記憶手段中の設定情報に基づいて前記画像処理手段による前記所定の処理を行うことを特徴とする。
また、本発明の画像入力システムは、画像データの入力を行う画像入力装置と、前記画像入力装置によって入力された画像データを処理する画像処理装置とを備えた画像入力システムであって、前記画像処理装置が、入力された画像データに対して所定の処理を施す第１の画像処理手段と、前記所定の処理の設定を行うための設定情報を入力する設定入力手段と、前記第１の画像処理手段による前記所定の処理後の画像データを表示する表示手段を有し、前記画像入力装置が、入力された画像データに対して前記所定の処理を施す第２の画像処理手段を有し、前記第１の画像処理手段、前記第２の画像処理手段の少なくとも一方を選択して前記所定の画像処理を行うことを特徴とする。
また、本発明の画像処理装置の制御方法は、画像データの入力を行う画像入力装置によって入力された画像データを処理する画像処理装置の制御方法であって、前記入力された画像データに対して所定の処理を施す画像処理工程と、前記所定の処理の設定を行うための設定情報を入力する設定入力工程と、前記画像処理工程による前記所定の処理後の画像データを表示する表示工程と、前記画像処理工程による処理の際の、前記設定入力工程において入力された設定情報を記憶する設定情報記憶工程と、画像データのN（２以上の整数）ページ以降のデータに対しては、前記設定情報記憶工程で記憶した設定情報に基づいて前記画像処理工程による前記所定の処理を施す工程とを有することを特徴とする。
また、本発明の 画像入力システムの制御方法は、画像データの入力を行う画像入力装置と、前記画像入力装置によって入力された画像データを処理する画像処理装置とを備えた画像入力システムの制御方法であって、前記画像処理装置において、前記入力された画像データに対して所定の処理を施す第１の画像処理工程と、前記所定の処理の設定を行うための設定情報を入力する設定入力工程と、前記画像処理工程による前記所定の処理後の画像データを表示する表示工程とを実行し、前記画像入力装置において、前記入力された画像データに対して前記所定の処理を施す第２の画像処理工程を実行し、前記入力された画像データに対して、前記第１の画像処理工程と前記第２の画像処理工程の少なくとも一方を選択して、前記所定の画像処理を施すことを特徴とする。
また、本発明の記憶媒体は、 画像データの入力を行う画像入力装置によって入力された画像データを処理する画像処理装置の制御方法を実行するための制御プログラムを格納したコンピュータ可読な記憶媒体であって、前記プログラムが、前記入力された画像データに対して所定の処理を施す画像処理工程と、前記所定の処理の設定を行うための設定情報を入力する設定入力工程と、前記画像処理工程による前記所定の処理後の画像データを表示する表示工程と、前記画像処理工程による処理の際の、前記設定入力工程において入力された設定情報を記憶する設定情報記憶工程と、画像データのN（２以上の整数）ページ以降のデータに対しては、前記設定情報記憶工程で記憶した設定情報に基づいて前記画像処理工程による前記所定の処理を施す工程とを有することを特徴とする。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】削除
【補正の内容】
【手続補正２５】
【補正対象書類名】明細書
【補正対象項目名】００２８
【補正方法】削除
【補正の内容】
【手続補正２６】
【補正対象書類名】明細書
【補正対象項目名】００２９
【補正方法】削除
【補正の内容】
【手続補正２７】
【補正対象書類名】明細書
【補正対象項目名】００７５
【補正方法】変更
【補正の内容】
【００７５】
【発明の効果】
以上詳述したように、請求項１、３、５記載の発明によれば、複数ページの入力画像データに所定の処理を施すに際し、Nページ以降のデータに対しては予め記憶した設定情報に基づいて所定の処理を施すので、最初に設定した設定情報を用いて効率的に複数ページの入力画像データに対して所望の処理を施すことができる。
【手続補正２８】
【補正対象書類名】明細書
【補正対象項目名】００７６
【補正方法】変更
【補正の内容】
【００７６】
また、請求項２、４記載の発明によれば、入力された画像データに所定の処理を施すに際し、画像データの入力を行う画像入力装置側で処理を施すか、画像処理装置側で施すかを適宜選択して使い分けることが可能となる。
【手続補正２９】
【補正対象書類名】明細書
【補正対象項目名】００７７
【補正方法】削除
【補正の内容】
【手続補正３０】
【補正対象書類名】明細書
【補正対象項目名】００７８
【補正方法】削除
【補正の内容】
【手続補正３１】
【補正対象書類名】明細書
【補正対象項目名】００７９
【補正方法】削除
【補正の内容】
【手続補正３２】
【補正対象書類名】明細書
【補正対象項目名】００８０
【補正方法】削除
【補正の内容】
【手続補正３３】
【補正対象書類名】明細書
【補正対象項目名】００８１
【補正方法】削除
【補正の内容】
【手続補正３４】
【補正対象書類名】明細書
【補正対象項目名】００８２
【補正方法】削除
【補正の内容】
【手続補正３５】
【補正対象書類名】明細書
【補正対象項目名】００８３
【補正方法】削除
【補正の内容】
【手続補正３６】
【補正対象書類名】明細書
【補正対象項目名】００８４
【補正方法】削除
【補正の内容】
【手続補正３７】
【補正対象書類名】明細書
【補正対象項目名】００８５
【補正方法】削除
【補正の内容】
【手続補正３８】
【補正対象書類名】明細書
【補正対象項目名】００８６
【補正方法】削除
【補正の内容】
【手続補正３９】
【補正対象書類名】明細書
【補正対象項目名】００８７
【補正方法】削除
【補正の内容】
【手続補正４０】
【補正対象書類名】明細書
【補正対象項目名】００８８
【補正方法】削除
【補正の内容】
【手続補正４１】
【補正対象書類名】明細書
【補正対象項目名】００８９
【補正方法】削除
【補正の内容】
【手続補正４２】
【補正対象書類名】明細書
【補正対象項目名】００９０
【補正方法】削除
【補正の内容】
【手続補正４３】
【補正対象書類名】明細書
【補正対象項目名】００９１
【補正方法】削除
【補正の内容】
【手続補正４４】
【補正対象書類名】明細書
【補正対象項目名】００９２
【補正方法】削除
【補正の内容】
【手続補正４５】
【補正対象書類名】明細書
【補正対象項目名】００９３
【補正方法】削除
【補正の内容】
【手続補正４６】
【補正対象書類名】明細書
【補正対象項目名】００９４
【補正方法】削除
【補正の内容】
【手続補正４７】
【補正対象書類名】明細書
【補正対象項目名】００９５
【補正方法】削除
【補正の内容】
【手続補正４８】
【補正対象書類名】明細書
【補正対象項目名】００９６
【補正方法】削除
【補正の内容】